【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
デバイスサーバと、前記デバイスサーバに登録されている識別情報を各々備えている複数の情報技術（ＩＴ）デバイスと、を含む固定通信ネットワークに、移動通信デバイスをカップリングするための方法であって、前記方法は、
前記移動通信デバイスの現在の位置を決定するステップと、
前記移動通信デバイスから、前記固定通信ネットワークとの無線通信リンクを介して、前記移動通信デバイスの前記現在の位置と、前記ＩＴデバイスに対する前記識別情報のリクエストと、を前記デバイスサーバから送信するステップと、
前記デバイスサーバから、前記固定通信ネットワークとの無線通信リンクを介して、１つまたは複数の前記ＩＴデバイスに対する前記識別情報を、前記移動通信デバイスで受信するステップと、
前記識別情報に基づいて、前記識別情報が受信された前記ＩＴデバイスの１つに、前記固定通信インフラストラクチャとの無線通信リンクを介して、前記移動通信デバイスからサービスリクエストを送信するステップと、
を具備することを特徴とする方法。
【請求項２】
前記移動通信デバイスが、第１移動通信デバイスであり、
前記方法は、
前記第１移動通信デバイスの前記識別情報、及び前記第１移動通信デバイスの前記現在の位置を、前記固定通信ネットワークの位置サーバに登録するステップと、
前記第１移動通信デバイスの前記現在の位置の変化に応答して、前記位置サーバで、前記第１移動通信デバイスの前記現在の位置を更新するステップと、
をさらに具備することを特徴とする請求項１に記載の方法。
【請求項３】
前記第１移動通信デバイスから、前記固定通信ネットワークとの無線通信リンクを介して、前記固定通信ネットワークに登録された第２移動通信デバイスの現在の位置のための第１のリクエストを、前記位置サーバに通信するステップと、
前記第１のリクエストに応答して、前記位置サーバから前記固定通信ネットワークとの無線通信リンクを介して、前記第２移動通信デバイスの前記現在の位置を、前記第１移動通信デバイスで受信するステップと、
をさらに具備することを特徴とする請求項２に記載の方法。
【請求項４】
前記ＩＴデバイスの各々の位置情報は、前記位置サーバに登録されており、
前記方法は、
前記第１移動通信デバイスの前記現在の位置、及び前記第１移動通信デバイスの現在の方位を、前記固定通信ネットワークとの無線通信リンクを介して、前記位置サーバに送信するステップと、
前記位置サーバから、前記固定通信ネットワークとの無線通信リンクを介して、前記ＩＴデバイスの少なくとも１つに関する前記位置情報を、前記第１移動通信デバイスで受信するステップと、
をさらに具備することを特徴とする請求項２に記載の方法。
【請求項５】
前記第１移動通信デバイスは、カメラを具備し、
前記方法は、
前記カメラにより撮影された画像を前記第１移動通信デバイス上に表示するステップと、
前記ＩＴデバイスの少なくとも１つの前記位置情報の仮想表示を前記画像上にオーバレイするステップと、
をさらに具備することを特徴とする請求項４に記載の方法。
【請求項６】
前記固定通信ネットワークは、コンテンツ管理サーバと、前記位置サーバに登録されている前記ＩＴデバイスの少なくとも１つに関するコンテンツ情報をさらに具備し、
前記方法は、
前記ＩＴデバイスの少なくとも１つに関する前記コンテンツ情報のための第２のリクエストを、前記第１移動通信デバイスから、前記固定通信ネットワークとの無線通信リンクを介して、前記コンテンツ管理サーバに通信するステップと、
前記第２のリクエストに応答して、前記コンテンツ情報を、前記コンテンツ管理サーバから、前記固定通信ネットワークとの無線通信リンクを介して、前記第１移動通信デバイスで受信するステップと、
をさらに具備することを特徴とする請求項４に記載の方法。
【請求項７】
前記第１移動通信デバイスは、カメラを具備し、
前記方法は、
前記カメラにより撮影された画像を、前記第１移動通信デバイス上に表示するステップと、
前記ＩＴデバイスの少なくとも１つの前記位置情報及び前記コンテンツ情報の仮想表示を、前記画像上にオーバレイするステップと、
をさらに具備することを特徴とする請求項６に記載の方法。
【請求項８】
前記ＩＴデバイスの各々の前記識別情報は、前記ＩＴデバイスの位置を含んでおり、
前記方法は、
前記デバイスサーバから、前記固定通信ネットワークとの無線通信リンクを介して、前記移動通信デバイスで、前記ＩＴデバイスの各々の位置を受信するステップと、
前記移動通信デバイスの前記現在の位置、前記移動通信デバイスの現在の方位、及び前記ＩＴデバイスの各々の位置を、前記移動通信デバイスから、前記無線通信リンクへの前記無線通信リンクを介して、前記固定通信ネットワークの位置サーバに送信するステップと、
をさらに具備することを特徴とする請求項１に記載の方法。
【請求項９】
前記移動通信デバイスと前記ＩＴデバイスの各々に関するマップ情報を、前記位置サーバから、前記固定通信ネットワークとの無線通信リンクを介して、前記第１移動通信デバイスで受信するステップと、
前記マップ情報に基づいて、前記移動通信デバイスの前記現在の位置及び１つまたは複数の前記ＩＴデバイスの前記位置を示しているマップ表示を、前記移動通信デバイス上に表示するステップと、
をさらに具備することを特徴とする請求項８に記載の方法。
【請求項１０】
前記マップ表示から前記ＩＴデバイスの１つを選択するステップ
をさらに具備することを特徴とする請求項９に記載の方法。
【請求項１１】
前記送信されたサービスリクエストを受信する前記ＩＴデバイスに前記サービスリクエストをサービスすることを許可するステップをさらに具備することを特徴とする請求項１に記載の方法。
【請求項１２】
前記移動通信デバイスの前記識別情報、及び前記移動通信デバイスの前記現在の位置を、前記固定通信ネットワークの位置サーバに登録するステップと、
前記現在の位置から目的地までのナビゲーション情報のためのナビゲーションリクエストを、前記移動通信デバイスから、前記固定通信ネットワークとの無線通信リンクを介して、前記位置サーバに送信するステップと、
前記位置サーバで、前記ナビゲーション情報を計算するステップと、
前記ナビゲーション情報を、前記位置サーバから、前記固定通信ネットワークとの無線通信リンクを介して、前記移動通信デバイスに通信するステップと、
前記現在の位置、前記目的地、及び前記ナビゲーション情報を示しているマップ表示を前記移動通信デバイス上に表示するステップと、
をさらに具備することを特徴とする請求項１に記載の方法。
【請求項１３】
コンピュータにより実行されると請求項１に記載の方法を実施するコンピュータ実行可能な命令が格納されている非一時的コンピュータ可読記憶媒体。 
【請求項１４】
デバイスサーバと、前記デバイスサーバに登録されている識別情報を各々が備えている複数の情報技術（ＩＴ）デバイスと、を含む固定通信ネットワークで使用するための装置であって、前記装置は、
前記固定通信ネットワークとの無線通信リンクにより結合された移動通信デバイスを具備し、
前記移動通信デバイスは、少なくとも１つのプロセッサと、前記少なくとも１つのプロセッサと結合されたメモリとを含んでおり、前記メモリは、前記少なくとも１つのプロセッサにより実行されると、前記装置に、
前記移動通信デバイスの現在の位置を決定し、
前記移動通信デバイスの前記現在の位置と、前記ＩＴデバイスの前記識別情報のためのリクエストとを、前記固定通信ネットワークとの無線通信リンクを介して、前記デバイスサーバに送信し、
前記デバイスサーバから、前記固定通信ネットワークとの無線通信リンクを介して、１つまたは複数の前記ＩＴデバイスのための前記識別情報を受信し、
前記識別情報に基づいて、前記固定通信インフラストラクチャとの無線通信リンクを介して、サービスリクエストを、前記識別情報が受信された前記ＩＴデバイスの１つに送信する
ことを行わせる命令を含んでいることを特徴とする装置。
【請求項１５】
前記移動通信デバイスは、第１通信デバイスであり、
前記命令は、前記少なくとも１つのプロセッサにより実行されると、前記装置に、
前記第１移動通信デバイスの前記識別情報と、前記第１移動通信デバイスの前記現在の位置とを、前記固定通信ネットワークの位置サーバに登録し、
前記第１移動通信デバイスの前記現在の位置の変化に応答して、前記位置サーバで、前記第１移動通信デバイスの前記現在の位置を更新する
ことをさらに行わせることを特徴とする請求項１４に記載の装置。
【請求項１６】
前記命令は、前記少なくとも１つのプロセッサにより実行されると、前記装置に、
前記第１移動通信デバイスから、前記固定通信ネットワークとの無線通信リンクを介して、前記固定通信ネットワークに登録された第２移動通信デバイスの現在の位置のための第１のリクエストを、前記位置サーバに通信し、
前記第１のリクエストに応答して、前記第１移動通信デバイスで、前記位置サーバから、前記固定通信ネットワークとの無線通信リンクを介して、前記第２移動通信デバイスの前記現在の位置を受信する
ことをさらに行わせることを特徴とする請求項１５に記載の装置。
【請求項１７】
前記命令は、前記少なくとも１つのプロセッサにより実行されると、前記装置に、
前記第１移動通信デバイスの前記識別情報と、前記第１移動通信デバイスの前記現在の位置とを、前記位置サーバに登録し、
前記第１移動通信デバイスの前記現在の位置と、前記第１移動通信デバイスの現在の方位とを、前記固定通信ネットワークとの無線通信リンクを介して、前記位置サーバに送信し、
前記ＩＴデバイスの少なくとも１つに関する位置情報を、前記位置サーバから、前記固定通信ネットワークとの無線通信リンクを介して前記第１移動通信デバイスで受信する
ことをさらに行わせることを特徴とする請求項１５に記載の装置。
【請求項１８】
前記第１移動通信デバイスは、カメラを具備し、
前記命令は、前記少なくとも１つのプロセッサにより実行されると、前記装置に、
前記カメラにより撮影された画像を、前記第１移動通信デバイス上に表示し、
前記ＩＴデバイスの少なくとも１つの前記位置情報の仮想表示を、前記画像上にオーバレイする
ことをさらに行わせることを特徴とする請求項１７に記載の装置。
【請求項１９】
前記固定通信ネットワークは、コンテンツ管理サーバをさらに具備し、
前記命令は、前記少なくとも１つのプロセッサにより実行されると、前記装置に、
前記ＩＴデバイスに関するコンテンツ情報のための第２のリクエストを、前記第１移動通信デバイスから、前記固定通信ネットワークとの無線通信リンクを介して、前記コンテンツ管理サーバに通信し、
前記第２のリクエストに応答して、前記コンテンツ情報を、前記コンテンツ管理サーバから、前記固定通信ネットワークとの無線通信リンクを介して、前記第１通信デバイスで受信する
ことをさらに行わせることを特徴とする請求項１７に記載の装置。
【請求項２０】
前記第１移動通信デバイスは、カメラを具備し、
前記命令は、前記少なくとも１つのプロセッサにより実行されると、前記装置に、
前記カメラにより撮影された画像を、前記第１移動通信デバイス上に表示し、
前記ＩＴデバイスの少なくとも１つの前記位置情報及び前記コンテンツ情報の仮想表示を、前記画像上にオーバレイする
ことをさらに行わせることを特徴とする請求項１９に記載の装置。
【請求項２１】
前記ＩＴデバイスは、ワークステーション、プリンタ、スキャナ、情報ディスプレイ、コピー機、又はファックス装置を具備することを特徴とする請求項１４に記載の装置。
【請求項２２】
前記移動通信デバイスは、携帯電話、スマートフォン、ノートブック、又はタブレットコンピュータを具備することを特徴とする請求項１４に記載の装置。
【請求項２３】
前記ＩＴデバイスは、プリンタを具備し、
前記サービスリクエストは、プリントリクエストである
ことを特徴とする請求項１４に記載の装置。
【請求項２４】
前記固定通信ネットワークは、空港に実装されている出発制御システムを具備することを特徴とする請求項１４に記載の装置。
【請求項２５】
前記命令は、前記少なくとも１つのプロセッサにより実行されると、前記装置に、
前記第１移動通信デバイスで、前記デバイスサーバから、前記固定通信ネットワークとの無線通信リンクを介して、前記ＩＴデバイスの各々の位置を受信し、
前記移動通信デバイスの前記現在の位置、前記移動通信デバイスの現在の方位、及び前記ＩＴデバイスの各々の位置を、前記固定通信ネットワークとの無線通信リンクを介して、前記固定通信ネットワークの位置サーバに通信する
ことをさらに行わせることを特徴とする請求項１４に記載の装置。
【請求項２６】
前記命令は、前記少なくとも１つのプロセッサにより実行されると、前記装置に、
前記移動通信デバイスと、前記ＩＴデバイスのそれぞれに関するマップ情報を、前記位置サーバから、前記固定通信ネットワークとの無線通信リンクを介して、前記第１移動通信デバイスで受信し、
前記マップ情報に基づいて、前記移動通信デバイスの前記現在の位置及び１つまたは複数の前記ＩＴデバイスの前記位置を含んでいるマップ表示を前記移動通信デバイス上に表示する
ことをさらに行わせることを特徴とする請求項２５に記載の装置。
【請求項２７】
前記移動通信デバイスは、前記マップ表示から前記ＩＴデバイスを選択するように構成されていることを特徴とする請求項２６に記載の装置。